(57)【特許請求の範囲】
【請求項１】
便器上の後部に設け、人体から排出された汚物の臭いが吸引される吸込み口および清浄化された空気が排気される吹出し口を有する本体ケースと、前記本体ケース内に設け、前記吸込み口と吹出し口を連結した風洞と、前記風洞の経路に設け、空気とともに通過する前記臭いを清浄化する脱臭剤および前記吸い込み口から空気とともに臭いを吸引し、清浄化された空気を吹出し口から排気する送風機とを備え、前記吹出し口は前記本体ケースの後部に前方より一段低く形成した段部に少なくとも上向きに開口してなるトイレ装置。
【請求項２】
用便時に回動させて開く便座蓋を備え、前記便座蓋は開いた状態で段部に当接して自立する請求項１に記載のトイレ装置。
【請求項３】
脱臭剤と送風機は、風洞の経路に本体ケースの前部より後部に向けて脱臭剤、送風機の順に略水平方向に配列するとともに、前記送風機のファンおよびファン中央に位置するモータを、その径方向面が略水平になるようにして設けてなる請求項１または請求項２に記載のトイレ装置。
【請求項４】
脱臭剤は、その高さを送風機の高さ以上としてなる請求項１〜請求項３のいずれかに記載のトイレ装置。
【請求項５】
吸込み口と脱臭剤の間に配置し、かつ本体ケース外より着脱可能なフィルターを設けてなる請求項１〜請求項４のいずれかに記載のトイレ装置。
【請求項６】
風洞は、流通する空気が脱臭剤を水平方向に通過した後に方向転換し、送風機のファンおよびファン中央に位置するモータに垂直に流入するように構成してなる請求項１〜請求項５のいずれかに記載のトイレ装置。
【請求項７】
送風機は本体ケースの底面との間に隙間を設けてなる請求項１〜請求項６のいずれかに記載のトイレ装置。
【発明の詳細な説明】
【０００１】
【発明の属する技術分野】
本発明は、便器上の後部に設け、人体から排出された汚物の臭いを吸込み口から空気とともに吸引して清浄化した後に空気を吹出し口からトイレ室に排気するトイレ装置に関する。
【０００２】
【従来の技術】
この種従来のトイレ装置における脱臭装置は、特開平６−１９３１２０号公報に記載されており、要部を横方向に断面して上から見た図７に示して説明する。便器７０の後部に横方向に本体ケース７１を設けている。本体ケース７１は底面に便器７０の中に臨む吸込み口７２と、左右の一方の側面に吹出し口７３をそれぞれ開口し、吸込み口７２と吹出し口７３の間を風洞７４で連結している。
【０００３】
風洞７４の経路には、脱臭剤７５と送風機７６が配置され、かつ送風機７６はファン７７とファンの中央のモータ７８を、その径方向面を縦にした垂直方向にして設けている。そして、便器７０に排出された人体からの汚物の臭いは、送風機７６の回転により空気とともに矢印で示すように吸込み口７２から吸引され、脱臭剤７５を通過して清浄化され、送風機７６を経て本体ケース７１の側面に開口する吹出し口７３からトイレ室に排気されるのである。
【０００４】
なお、図中の７９は便器７０上の便座で、また風洞８０に設けた電気ヒータ８１、送風機８２は、温水を噴射して洗浄した人体の局部を乾かす乾燥装置を構成するものである。
【０００５】
【発明が解決しようとする課題】
上記従来の構成では、本体ケース７１の外側面に吹出し口７３が開口しているため、用便の際に便座７９に腰掛けた用便者の衣服の一部で吹出し口７３が塞がれたり、またトイレ室が狭いために室壁に吹出し口７３が接近してしまう等で排気が円滑に行なわれなく所定の排気量が確保されなくなり、結果的に脱臭効率の低下を余儀なくされる危険があった。
【０００６】
本発明は、上記従来の課題を解決するものであり、常に脱臭装置の吹出し口から排気が円滑に行なわれるようにしたトイレ装置を提供するものである。
【０００７】
【課題を解決するための手段】
上記課題を解決するために本発明の請求項１に記載の発明は、便器上の後部に設け、人体から排出された汚物の臭いが吸引される吸込み口および清浄化された空気が排気される吹出し口を有する本体ケースと、前記本体ケース内に設け、前記吸込み口と吹出し口を連結した風洞と、前記風洞の経路に設け、空気とともに通過する前記臭いを清浄化する脱臭剤および前記吸い込み口から空気とともに臭いを吸引し、清浄化された空気を吹出し口から排気する送風機とを備え、前記吹出し口は前記本体ケースの後部に前方より一段低く形成した段部に少なくとも上向きに開口してなるトイレ装置である。
【０００８】
上記手段によれば、便器上の便座に着座した用便者の衣服は、本体ケースの高い後部に当ってそれ以上、後部の裏側へずれて段部に上向きに開口する吹出し口を塞ぐようなことは起こり得なく、また狭いトイレ室であっても周囲の壁に吹出し口が接近する配置にもならなく、また本体ケースの後方にロータンクを配置している形態であっても吹出し口を塞ぐようなことは起こり得ないから、脱臭剤で清浄化された空気が吹出し口から所定量、排気される作用を有する。
【０００９】
すなわち、便器に排出された人体からの汚物の臭いは、送風機の回転により空気とともに吸込み口から吸引され、脱臭剤を通過して清浄化され、送風機を経て本体ケースの後部の裏側に形成した段部に少なくとも上向きに開口する吹出し口から効率よくトイレ室に排気される。
【００１０】
請求項２の発明は、用便時に回動させて開く便座蓋を備え、前記便座蓋は開いた状態で段部に当接して自立する請求項１に記載のトイレ装置で、吹出し口は開いた便座蓋の後に上向きに開口しているので、用便者の衣服が吹出し口を塞ぐことがない。
【００１１】
請求項３に記載の発明は、脱臭剤と送風機を、風洞の経路に本体ケースの前部より後部に向けて脱臭剤、送風機の順に略水平方向に配列するとともに、前記送風機のファンおよびファン中央に位置するモータを、その径方向面が略水平になるようにして設けているトイレ装置で、本体ケース内における脱臭装置を構成する脱臭剤、送風機の高さスペースを低く抑えられる作用を有する。
【００１２】
請求項４に記載の発明は、脱臭剤を、その高さが送風機の高さ以上としてなるトイレ装置で、脱臭剤は送風機との高さの差分だけ大きくしても臭いを含む空気の通過する風路を確保できる作用を有する。
【００１３】
請求項５に記載の発明は、吸込み口と脱臭剤の間に配置し、かつ本体ケース外より着脱可能なフィルターを設けているトイレ装置で、フィルターにより埃を捕捉して脱臭剤には埃が付着しないようにして目詰まりを防止でき、かつフィルターを本体ケースより取り外して掃除できる作用を有する。
【００１４】
請求項６に記載の発明は、風洞を、流通する空気が脱臭剤を水平方向に通過した後に方向転換し、送風機のファンおよびファン中央に位置するモータに垂直に流入するように構成してなるトイレ装置で、送風機に高さの低い薄型のシロッコファンを用いることが可能になる作用を有する。
【００１５】
請求項７に記載の発明は、送風機と本体ケースの底面との間に隙間を設けてなるトイレ装置で、本体ケースに上向きに開口した吹出し口から誤って汚水等が流入したとしても隙間に溜まり送風機が汚水に浸からないようにできる作用を有する。
【００１６】
【発明の実施の形態】
以下本発明のトイレ装置につき、図面に従い説明する。
【００１７】
（実施の形態１）
図１は本発明のトイレ装置の要部を切り欠いて示す上面断面図で、図２はトイレ装置の要部を切り欠いて示す右側断面図で、図３は同装置の脱臭剤の着脱を示す断面図で、図４は同装置の着脱構造を示す断面図で、図５は同装置の送風機を示す斜視図で、図６（ａ）は同装置の脱臭剤の構造を示す側面図で、図６（ｂ）は同装置のフィルターの構造を示す側面図である。
【００１８】
便器１は、後部上面にトイレ装置の本体ケース２を着脱自在に取付けている。前記本体ケース２は、横長の底板２ａと蓋である山形状のカバー２ｂとで構成し、図１において示すように右側に脱臭装置を構成する脱臭剤３と送風機４を、左側に乾燥装置を構成する電気を熱源とする加熱ヒータ５と送風機６を、そして更に中央と左後方に亘り温水で人体の局部を洗浄するノズル７を含む局部洗浄装置８をそれぞれ内装している。
【００１９】
そして、本体ケース２は、底板２ａの前部に人体から便器１に排出された汚物の臭いが吸引される吸込み口９を設け、かつ脱臭剤３で清浄化された空気が排気される吹出し口１０を有している。前記脱臭剤３は、高さ方向である厚さを送風機４の高さ以上に設定して、その厚くなった差分Ｈを風路として活用して脱臭能力の向上を図っている。
【００２０】
前記脱臭剤３と送風機４は、前記本体ケース２内に設け、前記吸込み口９と吹出し口１０を連結した風洞１１の経路に沿って本体ケース２の前部より後部にかけて脱臭剤３、送風機４の順番で略水平方向に配列するとともに、前記送風機４のファン１２およびファンの中央に位置するモータ１３を、その径方向面が略水平である横になるように設けて、脱臭装置全体の高さ方向の厚さを低く抑えるようにしている。
【００２１】
従って、この実施形態では薄型のシロッコファンを送風機４として採用することが可能となり、更に風洞１１は、流通する空気が図２の矢印で示すように脱臭剤３を水平方向に通過した後に方向転換し、送風機４のファン１２およびファン中央に位置するモータ１３に垂直に流入するように構成している。
【００２２】
前記吹出し口１０は、用便をするために回転させて垂直に開いた便座蓋１４が当接して自立する本体ケース２の後部に形成した一段と低い段部１５に上面から後面に亘って少なくとも上向きに複数個を開口して構成している。従って、前記吹出し口１０は開いた便座蓋１４の後における前記本体ケース２の後部上面に少なくとも上向きに開口した構成にしている。
【００２３】
フィルター１６は、図６（ｂ）に示すように横長の枠体１６ａに網１６ｂを貼りつけて構成し、脱臭剤３に埃が付着しないように吸込み口９より流入した空気の全てが通過するように脱臭剤３の前面に対向して平行に配置している。そして、短期間毎に掃除をする必要があるため、本体ケース２のカバー２ｂの側面開口より引出し式で着脱自在に取付けられるように、前記側面開口を気密に閉蓋する鍔１６ｃ付きの取っ手１６ｄおよび弾性力でカバー２２内で係合する係合片１６ｅを設けた構成にしてある。
【００２４】
隙間１７は、送風機４の底面と本体ケース２の底板２ａの間に形成して、本体ケース２に上向きに開口した吹出し口１０から誤って汚水等が流入したとしても隙間１７に溜まり送風機４が汚水等に浸からないようにするものである。左右一対のレール１８、１９は、図４に示すように便器１の上面に設けた基板２０と本体ケース２の底板２ａとに、上下方向へは互いに係止し、前後方向には摺動可能に係合して設け、便器１上に着脱可能に設けた本体ケース２を便器上の前後方向に引出し自在にして脱臭剤３の交換を可能ならしめている。
【００２５】
すなわち、脱臭剤３は本体ケース２の底板２ａに設けた開口部２１より出し入れして交換するため、開口部２１を蓋するカバー２２に、左右両側に設けた細い弾性体の支持片２３に挟持して着脱自在に取付けている。そして、カバー２２は、開口部２１を気密に蓋するため、長手方向の中央部に弾性力をもって変形する舌片２４を設け、この舌片２４を開口部２１に着脱自在に係止させている。
【００２６】
なお、図中２５は便座蓋１４と同様に後端を中心に後側へ回動可能に便器１上に配置した便座、２６は局部洗浄装置８に給水する給水ホースで、脱臭剤３を交換するため図３のように本体ケース２を便器１から外して底板２ａを交換者に向けられるように長さに余裕と柔軟さをもつフレキシブルな耐圧ホースを使用している。２７は用便後の便器１内の汚物を排水するための水を貯水しているタンク（一般にロータンクという）で、使用する毎に自動的に補給され一定量を常に貯水している。
【００２７】
上記実施の形態において、トイレ装置の使用を説明すると、用便者は便座蓋１４を垂直に開いて便座２５に着座して用便を行う。この時に用便者の着座により送風機４が回転して便器１内の周囲に空気の吸引作用が生じ、空気は吸込み口９から吸引されてフィルター１６で埃が除去され、更に脱臭剤３を通過して汚物の臭いが吸収されて清浄化される。そして、清浄化された空気は送風機４を経て吹出し口１０から上向きに吐出され、開いている便座蓋１４とタンク２７の間に存在する空間に排出されるのである。
【００２８】
一方、用便者は局部洗浄装置８を動作させて局部を温水で洗浄するとともに、洗浄後の局部を乾燥装置である送風機６と加熱ヒータ５により吸引した空気を温風化して局部に吹き付け乾燥させ、汚物はタンク２７より水を便器１に流して排水するものである。この間、便座２５に用便者が着座しており、上記した脱臭作用は続けられるのである。
【００２９】
以上のように本実施の形態では、吹出し口１０は開いた便座蓋１４の後における本体ケース２の上面に少なくとも上向きに開口しているので、便器１上の便座２５に着座した用便者の衣服は、開いて直立している便座蓋１４に当ってそれ以上、後方へずれて吹出し口１０を塞ぐようなことは起こり得なく、また狭いトイレ室であっても周囲の壁に吹出し口１０が接近する配置にもならなく、また本体ケース２の後方にタンク２７を配置している形態であっても吹出し口１０を塞ぐようなことは起こり得ないから、脱臭剤３で清浄化された空気が吹出し口１０から円滑に排気でき、常に所定の排気量が確保され脱臭効率を向上できる。
【００３０】
また本実施の形態では、吹出し口１０は本体ケース２の後部に形成した段部１５に少なくとも上向きに開口しているので、便器１上の便座２５に着座した用便者の衣服は、便座蓋１４の存在に関係なく本体ケース２の高い後部に当ってそれ以上、後部へずれて段部１５に上向きに開口する吹出し口１０を塞ぐようなことは抑制され、また狭いトイレ室であっても周囲の壁に吹出し口１０が接近する配置にもならなく、また本体ケース２の後方にタンク２７を配置している形態であっても吹出し口１０を塞ぐようなことは起こり得ないから、脱臭剤３で清浄化された空気が吹出し口から円滑に排気でき、常に所定の排気量が確保され脱臭効率を向上できる。
【００３１】
更に本実施の形態では、脱臭剤３と送風機４は、風洞１１の経路に本体ケース２の前部より後部に向けて脱臭剤３、送風機４の順に略水平方向に配列するとともに、前記送風機４のファン１２およびファン中央に位置するモータ１３を、その径方向面が略水平方向である横になるようにして設けているので、本体ケース２内における脱臭装置を構成する脱臭剤３、送風機４の高さスペースをできるだけ低く抑えることができ、装置をコンパクトにできる。
【００３２】
更に本実施の形態では、脱臭剤３の高さを、送風機４の高さ以上にしているので、脱臭剤３は送風機４より高い分（差分Ｈ）だけ大きくしても臭いを含む空気の通過する風路を確保でき、脱臭剤の能力を簡単な構成で向上させることができる。
【００３３】
更に本実施の形態では、吸込み口９と脱臭剤３の間に配置し、かつ本体ケース２の外より着脱可能なフィルター１６を設けているので、フィルター１６により脱臭剤３を通過する前に空気中の埃を捕捉して脱臭剤３の目詰まりを防止でき、脱臭剤３の本来の能力を長く維持できるとともに、フィルター１６の掃除も本体ケース２の外側面より取り外して容易にできる。
【００３４】
更に本実施の形態では、風洞１１は流通する空気が脱臭剤３を水平方向に通過した後に方向転換し、送風機４のファン１２およびファン中央に位置するモータ１３に垂直に流入するように構成しているので、送風機４に高さの低い薄型のシロッコファンを用いることができ、装置全体のコンパクト化に繋げることができる。
【００３５】
更に本実施の形態では、送風機４と本体ケース２の底板２ａとの間に隙間１７を設け、本体ケース２に上向きに開口した吹出し口１０から誤って汚水等が流入したとしても前記隙間１７に溜まるようにしているので、直接に送風機４が汚水等に浸からないようにでき、送風機を安全に護ることができる。
【００３６】
なお、上記実施の形態では脱臭剤３を、本体ケース２の底板２ａの開口部２１より出し入れ交換するため、開口部２１を蓋するカバー２２を利用して設けたが、脱臭剤取付け専用のカバーと一体に脱臭剤を設けて、前記脱臭剤取付け専用のカバーを前記開口部の蓋として兼用するようにしても良い。
【００３７】
【発明の効果】
以上のように本発明のトイレ装置は、便器上の便座に着座した用便者の衣服の一部、または本体ケースの後方にロータンクを配置している形態であっても吹出し口を塞ぐようなことは起こり得なく、更には狭いトイレ室であっても周囲の壁に排気が影響を受けることなく、脱臭剤で清浄化された空気を吹出し口から円滑に排気でき、脱臭効率を向上させることができる。
【図面の簡単な説明】
【図１】  本発明の実施の形態１におけるトイレ装置の要部を切り欠いて示す上面断面図
【図２】  同実施の形態１におけるトイレ装置の要部を切り欠いて示す右側断面図
【図３】  同実施の形態１におけるトイレ装置の脱臭剤の着脱を示す断面図
【図４】  同実施の形態１におけるトイレ装置の着脱構造を示す断面図
【図５】  同実施の形態１におけるトイレ装置の送風機を示す斜視図
【図６】  （ａ）同実施の形態１におけるトイレ装置の脱臭剤の構造を示す側面図
（ｂ）同実施の形態１におけるトイレ装置のフィルターの構造を示す側面図
【図７】  従来のトイレ装置における脱臭装置部分を示す横断面図
【符号の説明】
１  便器
２  本体ケース
２ａ  底板（底面）
３  脱臭剤
４  送風機
９  吸込み口
１０  吹出し口
１１  風洞
１２  ファン
１３  モータ
１４  便座蓋
１５  段部
１６  フィルター
１７  隙間
Ｈ  差分
【図１】
0004178798.tif 000002
【図２】
0004178798.tif 000003
【図３】
0004178798.tif 000004
【図４】
0004178798.tif 000005
【図５】
0004178798.tif 000006
【図６】
0004178798.tif 000007
【図７】
0004178798.tif 000008